(57)【要約】      （修正有）【課題】異なる複数のタイプのレールであってもこのレールに補強フレームを取り付けできる共用の取付金具を利用したビニールハウス等の温室用のドアー装置を提供する。【解決手段】端部同士を突き合わせた相対向する一対のレール１、１と、上記レール１、１の外側に被せて当該レール１、１を接続するジョイント２と、上記レール１、１の側部下方に上記レール１、１に沿って配置した隙間塞ぎを兼ねた補強フレーム３と、上記ジョイント２に上記補強フレーム３を取り付ける取付金具４とからなり、上記取付金具４を縦フレーム４ａと上記縦フレーム４ａに連設した水平フレーム４ｂと上記水平フレーム４ｂの端部に連設したフック４ｃとで構成し、上記フック４ｃを上記蟻溝３ａのエッジに引っ掛けながら上記縦フレーム４ａを上記ジョイント２の一方の側壁２ｂに結合した。【選択図】図１
2010246438.tif 000002
【特許請求の範囲】
【請求項１】
端部同士を突き合わせた相対向する一対のレール１、１と、上記レール１、１内に上部を移動自在に挿入したドアーＤ１と、上記レール１、１の外側に被せて当該レール１、１を接続するジョイント２と、上記レール１、１の側部下方に上記レール１、１に沿って配置した隙間塞ぎを兼ねた補強フレーム３と、上記ジョイント２に上記補強フレーム３を取り付ける取付金具４とからなり、上記ジョイント２が上記レール１、１の上部を抱持する上板２ａと当該上板２ａの両側にか下方に向けて連結した側板２ｂ、２ｂとを有し、上記補強フレーム３が側部に蟻溝３ａを備えた中空なパイプ３ｂから構成されている温室用のドアー装置において、上記取付金具４を縦フレーム４ａと上記縦フレーム４ａに連設した水平フレーム４ｂと上記水平フレーム４ｂの端部に連設したフック４ｃとで構成し、上記フック４ｃを上記蟻溝３ａのエッジに引っ掛けながら上記縦フレーム４ａを上記ジョイント２の一方の側壁２ｂに結合したことを特徴とする温室用のドアー装置。
【請求項２】
レール１，１が上壁１ａと当該上壁１ａの両側に下方に向けて連設した一対の側壁１ｂ、１ｂとで構成した断面コ字状の枠体からなり、上記一対の側壁１ｂ、１ｂ間にドアーＤ１の上部を移動自在に挿入している請求項１に記載の温室用のドアー装置。
【請求項３】
端部同士を突き合わせた相対向する一対のレール１１、１１と、上記レール１１、１１内にローラＲ，Ｒを介して移動自在に挿入したドアーＤ２と、上記レール１１、１１内に設けられて当該レール１１，１１を接続するジョイント１２と、上記レール１１，１１の側部下方に上記レール１１，１１に沿って配置した隙間塞ぎを兼ねた補強フレーム３と、上記レール１１，１１に上記補強フレーム３を取り付ける取付金具４とからなり、上記ジョイント１２が上記レール１１，１１の上壁１１ａに当接する上板１２ａと当該上板１２ａの両側に下方に向けて連結した側板１２ｂ、１２ｂとを有し、上記補強フレーム３が側部に蟻溝３ａを備えた中空なパイプ３ｂから構成されている温室用のドアー装置において、上記取付金具４を縦フレーム４ａと上記縦フレーム４ａに連設した水平フレーム４ｂと上記水平フレーム４ｂの端部に連設したフック４ｃとで構成し、上記フック４ｃを上記蟻溝３ａのエッジに引っ掛けながら上記縦フレーム４ａを上記レール１１，１１の一方の側壁１２ｂに結合したことを特徴とする温室用のドアー装置。
【請求項４】
レール１１，１１が上壁１１ａと当該上壁１１ａの両側に下方に向けて連設した一対の側壁１１ｂ、１１ｂと、この側壁１１ｂ、１１ｂ
から内方に向けて設けた水平なガイド板１１ｃ、１１ｃとで構成した枠体からなり、上記一対の側壁１１ｂ、１１ｂ間に挿入したローラＲ，Ｒをガイド板１１ｃ、１１ｃ上に回転自在に載置させている請求項３に記載の温室用のドアー装置。
【発明の詳細な説明】
【技術分野】
【０００１】
本発明は、温室たるビニールハウスの出入口に設けられた温室用のドアー装置に関し、特に隙間塞ぎを兼ねた補強フレームを取り付ける取付金具を備えた温室用のドアー装置に関するものである。
【背景技術】
【０００２】
従来から、妻面に出入口を持つビニールハウスでは、その出入口に沿ってレールが配置され、このレールに出入口を開閉するドアーが移動可能に支持されている。ドアーは、下部のレールに沿ってローラを介して移動させる引き戸形式、又は上部のレールに沿ってローラを介して吊り持ちしながら移動させる吊り戸式のものが通例である。
【０００３】
また、レールは出入口のサイズに応じて一本のまま、または複数本を長手方向に沿って継ぎ足して一本化したものが用いられる。
【０００４】
このような従来のレールにあっては、例えば金属板母材をプレス成形することによって簡単かつローコストに得られるレールが用いられるが、このレールによってガイドされるドアーが強風や突風による風を受けて風下方向に押圧され、このときのドアーの変位により、レールに同方向の大きな応力が作用し、このレールは風下方向に向けて折れ曲るおそれがある。
【０００５】
従って、このような曲がりの挙動が大きくなると、レールからドアーの上部が外れてしまい、ビニールハウスの出入口が開放状態になってしまうという問題があった。
【０００６】
更に、吊り戸式のドアーではこのドアーの重みで上部のレールが下方に向けて撓んでしまうという不具合の問題もあった。
【０００７】
又上記の出入口の両側には少なくてもレールを支える二本の支柱が起立しており、この各支柱の上方にはシート支持フレームを介して透明シートが展張されているが、上記のレールの外側には上記の支柱の太さ分の隙間が形成されてしまいこの隙間から外気がビニールハウス内に侵入してしまう不具合があった。    
この為、上記の不具合を解決するため、例えば特許文献１に示すようなドアー装置が開発された。
【０００８】
このドアー装置は図８に示すように、端部同士を突き合わせた相対向する一対のレール１と、上記レール１内に上部を移動自在に挿入したドアーＤ１と、上記レール１の外側に被せて当該レール１を接続するジョイント２０と、上記レール１の側部下方に上記レール１に沿って配置した隙間塞ぎを兼ねた補強フレーム３０と、上記ジョイント２０に上記補強フレーム３０を取り付けるクサビ式の取付金具４０とからなるものである。
【０００９】
上記ジョイント２０は上記レール１の上部を抱持する上板２０ａと、当該上板２０ａの両側に下方に向けて連結した側板２０ｂ、２０ｃと、一方の側板２０ｂに形成した取付孔２０ｄとを有し、上記補強フレーム３０が正面部に蟻溝３０ａを備え且つ背部に取付孔３０ｂとを備えた中空なパイプ３０ｃから構成されている。
【００１０】
そして、上記取付金具４０を上記の取付孔２０ｄ、３０ｂに挿入して回転しながら補強フレーム３０をジョイント２０に結合し、これにより補強フレーム３０がレール１の正面側に連結されて当該レール１を補強すると共にこの補強フレーム３０がレール１の正面側の隙間を塞ぎ矢印Ａからの外気の侵入を防止している。
【００１１】
ところが、最近上記の補強フレーム３０は取付金具挿入用の隙間３０ｂを備えているため、この隙間３０ｂ補強フレーム３０自体の強度が十分で無く、この隙間３０ｂを成形しない中空な角パイプ式のものが開発された。
【００１２】
その結果上記クサビ式の取付金具４０が使用されなくなり、これに代わって非特許文献１に記載されたようなドアー装置が設置されるようになった。
【００１３】
このドアー装置の一つは図９に示すもので、他のドアー装置が図１０に示すものである。
【００１４】
図９に示すドアー装置は、端部同士を突き合わせた相対向する一対のレール１と、上記レール１内に上部を移動自在に挿入したドアーＤ１と、上記レール１の外側に被せて当該レール１を接続するジョイント５２、上記レール１の側部下方に上記レール１に沿って配置した隙間塞ぎを兼ねた補強フレーム３と、上記ジョイント５２に上記補強フレーム３を取り付ける取付ビス５１とからなるもである。
【００１５】
上記ジョイント５２は上記レール１の上部を抱持する上板５２ａと当該上板５２ａの両側にか下方に向けて連結した側板５２ｂ、５２ｃとを有し、上記補強フレーム３は側部に蟻溝３ａを備えた中空な角パイプ３ｂから構成され、上記ジョイント５２の正面側側板５２ｂにビス５１を介して補強フレーム３を結合したものである。
【００１６】
他方、図１０に示すドアー装置は、端部同士を突き合わせた相対向する一対のレール１１と、上記レール１１内にローラＲ，Ｒを介して移動自在に挿入したドアーＤ２と、上記レール１１内に設けられて当該レール１１を接続するジョイント１２と、上記レール１１の側部下方に上記レール１１に沿って配置した隙間塞ぎを兼ねた補強フレーム３と、上記レール１１に上記補強フレーム３を取り付ける取付板５３及び取付ビス５１とからなるもので、図９の場合と同じく取付板５３の下部をビス５１を介して補強フレーム３に固定し、同じく取付板５３の上部をボルトＢとナットＮを介してレール１とジョイント１２に結合したものである。
【先行技術文献】
【特許文献】
【００１７】
【特許文献１】実用新案登録第３０７８５８０号公報（図１、図３、要約参照）
【非特許文献】
【００１８】
【非特許文献１】東都興業株式会社製作、配布の「ニュービニツマ組立説明図」におけるカタログ（図面、説明図参照）
【発明の概要】
【発明が解決しようとする課題】
【００１９】
上記の図９、図１０に示すドアー装置は、機能上特に欠陥がある訳ではないが、汎用性に欠けている不具合があり、両構造に共用して使用できる取付金具の開発が望まれている。
【００２０】
即ち、図９に示すドアー装置は、ドアーＤ１が出入り口の下端に敷設したレール上を下部のローラを介して走行させるタイプであって当該ドアーＤ１の上部は上記のようにレール１内に移動自在に挿入させている。
【００２１】
他方、図１０に示すドアー装置は、ドアーＤ２の上部がローラＲを介して出入り口の上部に敷設した上部レール１１に走行自在に吊り下げられたタイプのものである。
【００２２】
従って、上記図９と図１０のドアー装置の上部レール構造が異なり、これに伴って補強フレーム３を結合する取付金具も異なり、両タイプのドアー装置に利用できる取付金具の開発が望まれていた。
【００２３】
そこで、本発明の目的は、異なる複数のタイプのレールであってもこのレールに補強フレームを取り付けできる共用の取付金具を利用したビニールハウス等の温室用のドアー装置を提供することである。
【課題を解決するための手段】
【００２４】
上記の目的を達成するため、本発明の一つの手段は、端部同士を突き合わせた相対向する一対のレールと、上記レール内に上部を移動自在に挿入したドアーと、上記レールの外側に被せて当該レールを接続するジョイントと、上記レールの側部下方に上記レールに沿って配置した隙間塞ぎを兼ねた補強フレームと、上記ジョイントに上記補強フレームを取り付ける取付金具とからなり、上記ジョイントが上記レールの上部を抱持する上板と当該上板の両側に下方に向けて連結した側板とを有し、上記補強フレームが側部に蟻溝を備えた中空なパイプから構成されている温室用のドアー装置において、上記取付金具を縦フレームと上記縦フレームに連設した水平フレームと上記水平フレームの端部に連設したフックとで構成し、上記フックを上記蟻溝のエッジに引っ掛けながら上記縦フレームを上記ジョイントの一方の側壁に結合したことを特徴とするものである。
【００２５】
この場合、レールが上壁と当該上壁の両側に下方に向けて連設した一対の側壁とで構成した断面コ字状の枠体からなり、上記一対の側壁間にドアーの上部を移動自在に挿入しているのが好ましい。
【００２６】
同じく、他の手段は、端部同士を突き合わせた相対向する一対のレールと、上記レール内にローラを介して移動自在に挿入したドアーと、上記レール内に設けられて当該レールを接続するジョイントと、上記レールの側部下方に上記レールに沿って配置した隙間塞ぎを兼ねた補強フレームと、上記レールに上記補強フレームを取り付ける取付金具とからなり、上記ジョイントが上記レールの上壁に当接する上板と当該上板の両側に下方に向けて連結した側板とを有し、上記補強フレームが側部に蟻溝を備えた中空なパイプから構成されている温室用のドアー装置において、上記取付金具を縦フレームと上記縦フレームに連設した水平フレームと上記水平フレームの端部に連設したフックとで構成し、上記フックを上記蟻溝のエッジに引っ掛けながら上記縦フレームを上記レールの一方の側壁に結合したことを特徴とするものである。
【００２７】
この場合、レールが上壁と当該上壁の両側に下方に向けて連設した一対の側壁と、この側壁から内方に向けて設けた水平なガイド板とで構成した枠体からなり、上記一対の側壁間に挿入したローラをガイド板上に回転自在に載置させているのが好ましい。
【発明の効果】
【００２８】
各請求項の発明によれば、取付金具を縦フレームと、上記縦フレームに連設した水平フレームと、上記水平フレームの端部に連設したフックとで構成したので、当該取付金具の縦フレームを直接レール接続用のジョイント又はレール自体の側壁に結合でき、フックは補強フレームの蟻溝のエッジに引っ掛けることができる。
【００２９】
その結果、ジョイントやレールが、同一またはほぼ同一形状に成形され、又補強フレームがフックを引っ掛けるエッジを備えているドアー装置である場合は、この取付金具を共用して利用でき、部品の共通化、汎用性を図れ、部品の加工性、組付性、経済性が向上する。
【００３０】
また、ドアー装置の組立て、取付作業が単一化されて、作業者の作業が容易となり、温室の施工作業の向上を図れる。
【００３１】
更に、取付金具のフックが補強フレームの蟻溝におけるエッジに引っ掛けられるので補強フレームの保持が確実となり、その結果取付金具を介して補強フレームとレールとの連結を強固に且つ確実に行うことが出来る。
【００３２】
しかも、フックのエッジに対する引っ掛け操作は比較的容易であるから補強フレームとレールとの結合操作が簡単且つスムースに行うことができる。
【図面の簡単な説明】
【００３３】
【図１】本発明の一実施の形態に係わる温室用のドアー装置に縦断側面図である。
【図２】図１のドアー装置の一部切り欠き斜視図である。
【図３】同じく分解斜視図である。
【図４】図１のドアー装置を利用したビニールハウスの一部切り欠き斜視図である
【図５】他の実施の形態に係わる温室用のドアー装置の縦断側面図である。
【図６】図６のドアー装置の一部切り欠き斜視図である。
【図７】同じく分解斜視図である。
【図８】従来の温室用のドアー装置の縦断側面図である。
【図９】他の従来の温室用のドアー装置の縦断側面図である。
【図１０】他の従来の温室用のドアー装置の縦断側面図である。
【発明を実施するための形態】
【００３４】
以下本発明の実施の形態を図に基づいて説明する。
【００３５】
図４は本発明のドアー装置を利用したビニールハウスを示す。
【００３６】
そして、図１乃至図３はこのドアー装置の一実施の形態を示し、図５乃至図７は他の実施の形態に係わるドアー装置を示す。
【００３７】
図４に示すように、ビニールハウスＶの妻面側にアーチパイプ６１とこれに
結合した支柱６２を起立し、支柱６２の温室内側には水平方向に延びるレール
１、１が結合され、このレール１、１には下端のローラで走行するドアーＤ１
の上部が移動動自在に挿入されて出入り口を開閉するようになっている。
【００３８】
支柱６２には補強材６３が架設され、支柱６２の上部と補強フレーム３と補強材６３には透明なシートが展張され、アーチパイプ６１側の屋根面、側面側にも等にもシートが展張されている。
【００３９】
補強フレーム３は従来と同じくレール１、１を補強し、レール１、１の正面側に支柱６２の幅に相当する隙間を塞ぎ、外気がビニールハウス内に侵入するのを防止している。
【００４０】
以下詳細に説明する。
【００４１】
図１乃至図３に示すドアー装置は、端部同士を突き合わせた相対向する一対のレール１、１と、上記レール１、１内に上部を移動自在に挿入したドアーＤ１と、上記レール１、１の外側に被せて当該レール１、１を接続するジョイント２と、上記レール１、１の側部下方に上記レール１、１に沿って配置した隙間塞ぎを兼ねた補強フレーム３と、上記ジョイント２に上記補強フレーム３を取り付ける取付金具４とからなるものである。
【００４２】
上記ジョイント２は上記レール１、１の上部を抱持する上板２ａと当該上板２ａの両側に下方に向けて連結した側板２ｂ、２ｂとを有している。
【００４３】
上記補強フレーム３は正面側たる側部に蟻溝３ａを備えた中空な角パイプ３ｂから構成されている。
【００４４】
上記取付金具４は縦フレーム４ａと、上記縦フレーム４ａに連設した水平フレーム４ｂと、上記水平フレーム４ｂの端部に連設したフック４ｃと、水平フレーム４ｂに形成した取付孔４ｄで構成し、上記フック４ｃを上記蟻溝３ａのエッジに引っ掛けながら上記縦フレーム４ａを上記ジョイント２の一方の側壁２ｂに結合するようになっている。
【００４５】
レール１、１は上壁１ａと、当該上壁１ａの両側に下方に向けて連設した一対の側壁１ｂ、１ｂとで構成した断面コ字状の枠体からなり、上記一対の側壁１ｂ、１ｂ間にドアーＤ１の上部を移動自在に挿入して当該ドアーＤ１を出入り口に沿って横方向の移動を案内している。
【００４６】
ジョイント２はレール１、１の上側に被されて保持され、この際、レール１の上壁１ａとジョイント２上板２ａはボルト６４とナット６５を介して結合され、これにより端部同士を付き合わせたレール１、１はこのジョイント２を介して横方に連続して結合されている。
【００４７】
取付金具４のフック４ｃは補強フレーム３の蟻溝３ａの上側エッジ３ｃに引っ掛けられ、水平フレーム４ｂは取付孔４ｄの差し込んだビス６６ａで押圧されて補強フレーム３の上面に当接し、縦フレーム４はビス６６を介してジョイント２の正面側側壁２ｂに結合され、これにより補強フレーム３が取付金具４とジョイント２を介してレール１，１に当該レール１，１に沿って連結される。
【００４８】
これにより、補強フレーム３はレール１、１を補強して当該レール１、１のねじれ、撓み、変形を防止し、矢印Ｘ方向から矢印Ｙ方向に向けて外気が侵入するのを防止している。
【００４９】
補強フレーム３蟻溝３ａ内には係止線条６５を介して透明シートＳが定着され、このシートＳは上方に延びて図４に示す補強材６３、支柱６２に固定されるようになっている。
【００５０】
上記補強材６３や支柱６２にも公知のようにシートＳを定着する蟻溝や、取付部材が設けられている。
【００５１】
次に図５乃至図７における他の実施の形態に係わるドアー装置を説明する。
【００５２】
このドアー装置は、端部同士を突き合わせた相対向する一対のレール１１、１１と、上記レール１１、１１内にローラＲ，Ｒを介して移動自在に挿入したドアーＤ２と、上記レール１１、１１内に設けられて当該レール１１，１１を接続するジョイント１２と、上記レール１１，１１の側部下方に上記レール１１，１１に沿って配置した隙間塞ぎを兼ねた補強フレーム３と、上記レール１１，１１に上記補強フレーム３を取り付ける取付金具４とからなるものである。
【００５３】
上記ジョイント１２は、上記レール１１，１１の上壁１１ａに当接する上板１２ａと当該上板１２ａの両側に下方に向けて連結した側板１２ｂ、１２ｂとを有している。
【００５４】
上記補強フレーム３は図１の場合と同じく、正面側側部に蟻溝３ａを備えた中空なパイプ３ｂから構成されている。
【００５５】
上記取付金具４は縦フレーム４ａと、上記縦フレーム４ａに連設した水平フレーム４ｂと、上記水平フレーム４ｂの端部に連設したフック４ｃとで構成され、上記フック４ｃを上記蟻溝３ａのエッジに引っ掛けながら上記縦フレーム４ａを上記レール１１，１１の正面側側壁１２ｂに結合している。
【００５６】
レール１１，１１は上壁１１ａと、当該上壁１１ａの両側に下方に向けて連設した一対の側壁１１ｂ、１１ｂと、この側壁１１ｂ、１１ｂから内方に向けて設けた水平なガイド板１１ｃ、１１ｃとで構成した枠体からなっている。
【００５７】
ドアーＤ２の上端には連結ロッド２１を介して軸受け２０が結合され、この軸受け２０の回転自在に挿入した回転軸に一対のローラＲ、Ｒが設けられている。
【００５８】
そして、上記一対の側壁１１ｂ、１１ｂ間に挿入したローラＲ，Ｒをガイド板１１ｃ、１１ｃ上に回転自在に載置させ、ドアーＤ２をローラＲ，Ｒで吊り持ちさせながらレール１、１に沿って走行させるようになっている。
【００５９】
取付金具４のフック４ｃは補強フレーム３の蟻溝３ａの上側エッジ３ｃに引っ掛けられ、水平フレーム４ｂは補強フレーム３の上面に当接し、縦フレーム４ａボルト６７とナット６８を介してレール１１、１１の正面側側壁１１ｂとジョイント１２の正面側側壁１２ｂに結合され、これにより補強フレーム３が取付金具４を介してレール１１、１１に当該レール１１、１１に沿って連結される。但し、ビス６６ａの押圧による結合は必ずしも必要ではない。
【００６０】
その他の構造、作用効果は図１における実施の形態の場合と同じである。
【産業上の利用可能性】
【００６１】
果実、花、等の植物の栽培、育成に適するビニールハウスの妻面、側面等の出入り口に適用可能である。
【符号の説明】
【００６２】
１、１１    レール１
２、１２    ジョイント
２ａ    上板
２ｂ    側板
３      補強フレーム
３ａ    蟻溝
３ｃ    エッジ
４      取付金具
４ａ    縦フレーム
４ｂ    水平フレーム
４ｃ    フック
Ｄ１、Ｄ２  ドアー
Ｒ      レール
【図１】
2010246438.tif 000003
【図２】
2010246438.tif 000004
【図３】
2010246438.tif 000005
【図４】
2010246438.tif 000006
【図５】
2010246438.tif 000007
【図６】
2010246438.tif 000008
【図７】
2010246438.tif 000009
【図８】
2010246438.tif 000010
【図９】
2010246438.tif 000011
【図１０】
2010246438.tif 000012